(57)【特許請求の範囲】
【請求項１】
ディスプレイパネルの後方面を支持するバックカバーと、
湾曲した曲率を有するようにベンディングし、前記バックカバーの後方面に装着される１本のベンディング部材と、
前記バックカバーの後方面に結合されて前記１本のベンディング部材を回転させて前記ディスプレイパネルと前記バックカバーの曲率を変更する曲率変更部材と、
を含み、
前記曲率変更部材は、
前記ベンディング部材の外周面に結合されて前記ベンディング部材を回転させるウォームホイールギアと、
前記ウォームホイールギアと噛合されて前記ウォームホイールギアを回転させるウォームギアと、
前記ウォームホイールギアとウォームギアが内蔵されて前記バックカバーの後方面に結合される支持部材と、
を含み、
前記ウォームホイールギアは、リング形状で前記ベンディング部材が貫通結合されるハブと、前記ハブの外周面の一部から径方向に突き出したギア部を具備し、
前記ウォームホイールギアは、前記ハブの内周面と外周面を貫通する貫通ホールを具備し、前記ベンディング部材は、前記貫通ホールと連通する固定ホールを具備して、前記貫通ホールを通って固定ホールに固定部材が結合され、
利用者により前記曲率変更部材に作動力が加えられることで、前記ディスプレイパネルの曲率を変更可能とする、
ディスプレイ装置。
【請求項２】
前記支持部材は、
前記バックカバーに結合される下部支持部材と、
前記下部支持部材から突き出して前記ベンディング部材の外周面の一部が装着される第１装着溝と、前記ウォームギアが挿入されて支持される第１結合ホールを具備している突き出支持部と、
前記第１結合ホールと連通して前記ウォームギアの軸が結合される第２結合ホールと、前記第１装着溝に対応する第２装着溝を具備する上部支持部材であって、前記ベンディング部材の外周面の対向する部分が前記第２装着溝に装着され、前記突き出支持部に結合される上部支持部材と、
を含む、請求項１に記載のディスプレイ装置。
【請求項３】
前記上部支持部材には前記ウォームギアを回転させる回転レバーが結合し、前記回転レバーは前記第２結合ホールと連通して前記ウォームギアの軸が結合される第３結合ホールを具備している、請求項２に記載のディスプレイ装置。
【請求項４】
前記回転レバーは把持部材を具備し、前記把持部材の一端部はレバー本体にヒンジ軸で回転可能に結合され、他端部は前記レバー本体と脱着可能に結合される、請求項３に記載のディスプレイ装置。
【請求項５】
前記ベンディング部材が挿入されて支持される挿入ホールを具備し、前記バックカバーの後方面に結合されるガイド部材をさらに含む、請求項１に記載のディスプレイ装置。
【請求項６】
前記ガイド部材の挿入ホールは前記バックカバーの上下方向に延在する長ホールを具備する、請求項５に記載のディスプレイ装置。
【請求項７】
前記挿入ホールの幅は前記ベンディング部材の経方向最外郭厚さと等しい、請求項６に記載のディスプレイ装置。
【発明の詳細な説明】
【技術分野】
【０００１】
本発明は、ディスプレイ装置に関するものであり、より詳細には、使用者が本人の選択によってディスプレイパネルの曲率を変更させることができるようにして使用者に画面の沒入感を向上させることができるディスプレイ装置に関するものである。
【背景技術】
【０００２】
一般に、平板形態のディスプレイ装置としては、液晶ディスプレイ装置(Liquid Crystal Display Device)、プラズマディスプレイ装置(Plasma Display Device)、有機電界発光ディスプレイ装置(Organic Light Emitting Display Device)などが活発に研究されているが、量産化技術、駆動手段の容易性、高画質の具現という長所で液晶ディスプレイ装置と有機電界発光ディスプレイ装置が脚光を浴びている。
【０００３】
最近では、平面ディスプレイ装置の技術的な面の研究開発と併せて需要者らによりアピールすることができる製品のデザイン的な面で研究開発の必要性が特に目立っている。
【０００４】
これによって、ディスプレイ装置に曲率がある曲面ディスプレイ装置またはカーブドディスプレイ装置に対する要求が次第に増進されている。
【０００５】
そして、現在まで進められて来た曲面ディスプレイ装置はパネルとバックカバーに一定な曲率を形成してバックカバーの後方面にバックカバーと同一な曲率を有する固定装置が結合される方式で開発されて来た。
【０００６】
図１は、従来のディスプレイ装置を示す分解斜視図である。
【０００７】
図１に示されたように、従来のディスプレイ装置は、ディスプレイパネル１１０と、ディスプレイパネル１１０を収容する外装ケース１２０、外装ケース１２０の下端部や背面部に連結されて机や壁面に固定されるように形成された支柱１３０でなる。
【０００８】
このようなディスプレイ装置は、ディスプレイパネル１１０の背面に装着される曲率変更装置１４０によって平面形モードと曲面型モードで動作するようになる。
【０００９】
すなわち、複数個のモータ１６０とそれぞれ連結された複数個の関節プレート１５０がモータ１６０の駆動によって所定の角度を有するように折れることで、ディスプレイパネル１１０の曲率を変更するようになっている。
【００１０】
しかし、このような曲面ディスプレイ装置またはカーブドディスプレイ装置は、それぞれの関節プレートをディスプレイパネルの背面に結合させなければならない構造であるので、部品数が増えて作業工程が増えて製造原価が上昇される問題点があった。
【００１１】
また、モータの作動によって曲率が変更される構造であるので、作動騷音が大きくて消費電力が増大されるだけでなく、モータの故障時に外装ケースを分離して修理しなければならない構造であるので、消費者に不満がたくさん提起される問題点があった。
【発明の概要】
【発明が解決しようとする課題】
【００１２】
このような背景で、本発明の目的は、使用者が任意に平面ディスプレイまたは曲面ディスプレイで曲率を変更することができるディスプレイ装置を提供することにある。
【００１３】
本発明の他の目的は、ディスプレイ装置において、その大きさにかかわらず使用者が手軽く曲率を変更して使用者の多様な要求を収容することができるディスプレイ装置を提供することにある。
【００１４】
また、本発明の目的はこれに制限されなく、言及されなかったまた他の目的らは下の記載から通常の技術者に明確に理解されることができるであろう。
【課題を解決するための手段】
【００１５】
前述した目的を達成するために、一側面で、本発明は、ディスプレイパネルの後方面を支持するバックカバー、湾曲された曲率を有するようにベンディングされてバックカバーの後方面に支持されて装着されるベンディング部材、バックカバーの後方面に結合されてベンディング部材を回転させてディスプレイパネルとバックカバーの曲率を変更させる曲率変更部材を含むディスプレイ装置を提供する。
【発明の効果】
【００１６】
以上で説明したように、本発明によれば、使用者が任意に平面ディスプレイまたは曲面ディスプレイで曲率を変更することができる効果がある。
【００１７】
また、本発明によれば、大面積のディスプレイ装置において、その大きさにかかわらず使用者が手軽く曲率を変更して使用者の多様な要求を収容することができる効果がある。
【図面の簡単な説明】
【００１８】
【図１】従来のディスプレイ装置を示す分解斜視図である。
【図２】本発明の一実施例によるディスプレイ装置を示す斜視図である。
【図３】図２の一部分を示した分解斜視図である。
【図４】図３の一部分を示す斜視図である。
【図５】本発明の一実施例によるディスプレイ装置の作動状態を示す平面図である。
【図６】本発明の一実施例によるディスプレイ装置の作動状態を示す背面図である。
【発明を実施するための形態】
【００１９】
以下、本発明の一部実施例を例示的な図面を参照して詳細に説明する。各図面の構成要素に参照符号を付加するにおいて、同一な構成要素に対してはたとえ他の図面上に表示されても、できるだけ等しい符号を有することができる。また、本発明を説明する際、関連する公知構成または機能に対する具体的な説明が本発明の要旨を不明瞭にすると判断される場合にはその詳細な説明は省略することができる。
【００２０】
また、本発明の構成要素を説明する際、第１、第２、Ａ、Ｂ、(ａ、(ｂ)などの用語を使用することができる。このような用語はその構成要素を他の構成要素と区別するためのものであるだけで、その用語によって該当構成要素の本質、順番、順序または個数などが限定されない。ある構成要素が異なる構成要素に“連結”、“結合”または“接続”されると記載した場合、その構成要素はその他の構成要素に直接的に連結されるか、または接続されることができるが、各構成要素の間に他の構成要素が“介在”されるか、または各構成要素が他の構成要素を通じて“連結”、“結合”または“接続”されることもできると理解されなければならないであろう。
【００２１】
図２は、本発明の一実施例によるディスプレイ装置を示す斜視図、図３は、図２の一部分を示した分解斜視図、図４は、図３の一部分を示す斜視図、図５は、本発明の一実施例によるディスプレイ装置の作動状態を示す平面図、図６は、本発明の一実施例によるディスプレイ装置の作動状態を示す背面図である。
【００２２】
これら図面に示されたように、本発明の一実施例によるディスプレイ装置は、ディスプレイパネルの後方面を支持するバックカバー２０１、湾曲された曲率を有するようにベンディングされてバックカバー２０１の後方面に支持されて装着されるベンディング部材２０７、バックカバー２０１の後方面に結合されてベンディング部材２０７を回転させてディスプレイパネルとバックカバー２０１の曲率を変更させる曲率変更部材２１０を含む。
【００２３】
そして、バックカバー２０１の下部には、連結部材２０５が支柱２０３と連結されて机やテーブルに据え置きすることができるようになっているが、本発明でのディスプレイパネルは液晶ディスプレイパネルまたは発光ディスプレイパネルに無関係に適用することができる。
【００２４】
すなわち、ディスプレイパネルが液晶ディスプレイパネルで構成される場合、液晶ディスプレイパネルに光を照射するためのバックライトユニット、下部基板に付着された下部偏光板、及び上部基板の前面に付着された上部偏光板をさらに含んで構成され、下部基板及び上部基板の具体的な構成は、液晶パネルの駆動モード、例えば、ＴＮ(Twisted Nematic)モード、ＶＡ(Vertical Alignment)モード、ＩＰＳ(In plane switching)モード、及びＦＦＳ(Fringe field switching)モードなどによって、当業界に公知された多様な形態で形成される。
【００２５】
また、ディスプレイパネルが発光ディスプレイパネルで構成される場合、発光ディスプレイパネルはゲートライン、データライン、及び電源(ＶＤＤ)ラインによって定義される領域ごとに形成された複数の発光セルを含む下部基板及び下部基板に対向合着された上部基板を含んで構成され、このような構成は本発明が属する技術分野で周知の技術であるので、図面と詳細な説明を略したことを明らかにしておく。
【００２６】
このように、本発明におけるディスプレイパネルは、その種類に無関係に使われることができるので、以下ではディスプレイパネルの種類に構わなく説明することにする。
【００２７】
先ず、図２に示したようにディスプレイ装置の背面、すなわち、バックカバー２０１の後方面に装着される曲率変更部材２１０がバックカバー２０１の後方面に支持されて装着されているベンディング部材２０７を回転させることで平面形モード(Ａ)と曲面型モード(Ｂ)で動作するようになっている。
【００２８】
ベンディング部材２０７はディスプレイパネルとバックカバー２０１をベンディングさせることができるように剛性が大きいアルミニウム合金やステンレススチールなどの金属材質で形成されるが、使用者が視聴しやすい所定の曲率を有するように形成される。
【００２９】
ベンディング部材２０７はディスプレイ装置が曲面型モード(Ｂ)である時の曲率、すなわち、略６０００〜２０００ｍｍにベンディング形成されてバックカバー２０１の後方面に支持されて装着され、曲率変更部材２１０によって回転しながら曲面型モード(Ｂ)である時にはベンディング部材２０７の曲率中心点がバックカバー２０１と垂直である前方側方向に位置するように回転し、平面形モード(Ａ)である時にはベンディング部材２０７の曲率中心点がバックカバー２０１と平行な上方側方向に位置するように回転する。
【００３０】
すなわち、曲面型モード(Ｂ)である時にはベンディング部材２０７と曲率中心点の成す平面がバックカバー２０１と垂直をなすように回転し、平面形モード(Ａ)である時にはベンディング部材２０７と曲率中心点がなす平面がバックカバー２０１と平行に回転することで、バックカバー２０１を弾性変形させてディスプレイ装置を曲面型モード(Ｂ)に変更するようになっており、図２では平面形モード(Ａ)である時を図示している。
【００３１】
このようにベンディング部材２０７を回転させる曲率変更部材２１０は、図３に示されたように、ベンディング部材２０７の外周面に結合されてベンディング部材２０７を回転させるウォームホイールギア２１５と、ウォームホイールギア２１５と噛合されてウォームホイールギア２１５を回転させるウォームギア２１７、ウォームホイールギア２１５とウォームギア２１７が内蔵され、バックカバー２０１の後方面に結合される支持部材２１０ａ、２１０ｂを含み、このような曲率変更部材２１０によって使用者が曲面型モード(Ｂ)または平面形モード(Ａ)で便利に変更することができるようになっている。
【００３２】
ここで、ウォームホイールギア２１５はリング形状で形成されるハブ２１５ａとギア歯が形成されたギア部２１５ｂが具備されているが、図４に示されたように、ベンディング部材２０７がハブ２１５ａに貫通結合されてハブ２１５ａの一側面に経方向に突き出形成されたギア部２１５ｂがウォームギア２１７と噛合されるようになっていて、ウォームギア２１７がウォームホイールギア２１５を回転させる時に使用者の作動力が減って手軽く回転させるようになっている。
【００３３】
そして、ウォームギア２１７もウォームギアの軸２１７ａ外周面に経方向に突き出されたギア部２１７ｂが形成されてウォームホイールギア２１５のギア部２１５ｂと噛合されるようになっていて、一例で平面形モード(Ａ)である状態を示した図４でウォームギア２１７を時計方向に回転させればウォームホイールギア２１５が反時計方向に回転しながらベンディング部材２０７を回転させて図５と図６に示された曲面型モード(Ｂ)で変換させるようになる。
【００３４】
また、ウォームホイールギア２１５はベンディング部材２０７が空転することを防止するように、ハブ２１５ａの内周面と外周面を貫通する貫通ホール２１２が具備されていて、ベンディング部材２０７にもハブ２１５ａの貫通ホール２１２と連通される固定ホール２１２Ａが具備されていて、この貫通ホール２１２と固定ホール２１２Ａに固定部材が結合されることで、ウォームホイールギア２１５の回転時にベンディング部材２０７が空転しないでウォームホイールギア２１５の回転量と等しい回転量で回転するようになって使用者の作動便宜性が増大されるようになっている。
【００３５】
一方、支持部材２１０ａ、２１０ｂは、バックカバー２０１に結合される下部支持部材２１０ａと、下部支持部材２１０ａで突き出されてベンディング部材２０７の一側外周面が装着される第１装着溝２１３ａとウォームギア２１７が挿入されて支持される第１結合ホール２０６が具備されている突き出支持部２１１、第１結合ホール２０６と連通されてウォームギア２１７の軸２１７ａが結合される第２結合ホール２１９と第１装着溝２１３ａと対向される第２装着溝２１３ｂが具備されてベンディング部材２０７の他側外周面が装着されて突き出支持部２１１に結合される上部支持部材２１０ｂを含む。
【００３６】
このような支持部材２１０ａ、２１０ｂによって使用者が曲面型モード(Ｂ)または平面形モードに変更時ベンディング部材２０７とウォームギア２１７、ウォームホイールギア２１５などが堅固に支持されながら作動することができるようになっている。
【００３７】
下部支持部材２１０ａは、上部支持部材２１０ｂと共にバックカバー２０１に結合される板形状でバックカバー２０１と締結部材で結合されるための締結ホール２１４が形成されていて、下部支持部材２１０ａの中心部にはベンディング部材２０７とウォームホイールギア２１５を支持するための突き出支持部２１１が具備されていて、作動時に加えられる荷重によるバックカバー２０１の変形を防止すると共にベンディング部材２０７とウォームホイールギア２１５を堅固に支持する。
【００３８】
突き出支持部２１１は下部支持部材２１０ａで突き出されて形成されてバックカバー２０１の左右方向にお互いに離隔された位置にベンディング部材２０７の一側外周面が装着されて支持される一対の第１装着溝２１３ａが形成されていて、ベンディング部材２０７の回転時にベンディング部材２０７の離脱を防止しながら支持するようになる。
【００３９】
そして、第１装着溝２１３ａの中心部下側にはウォームギア２１７が挿入されて回転支持される第１結合ホール２０６が形成されてウォームギア２１７の離脱が防止されるようになっている。
【００４０】
このような下部支持部材２１０ａの外側には上部支持部材２１０ｂが結合されてウォームホイールギア２１５とウォームギア２１７を内蔵させながら支持するようになるが、下部支持部材２１０ａは突き出支持部２１１に形成されている締結ホール２１１ａと上部支持部材２１０ｂに形成されている締結ホール２１１ｂに結合される締結部材で結合される。
【００４１】
上部支持部材２１０ｂの前面には第１結合ホール２０６と連通されてウォームギア２１７の軸が結合される第２結合ホール２１９が形成されていて、第１装着溝２１３ａと対向される第２装着溝２１３ｂが形成されてベンディング部材２０７の他側外周面が装着されて支持されるようになっている。
【００４２】
したがって、下部支持部材２１０ａと共にウォームホイールギア２１５とウォームギア２１７を囲んで結合されて使用者が曲面型モード(Ｂ)と平面形モード(Ａ)変更時ウォームギア２１７からウォームホイールギア２１５を通じてベンディング部材２０７に作動力が伝達される時、ベンディング部材２０７とウォームギア２１７、ウォームホイールギア２１５などが離脱されないで堅固に支持されながら作動することができるようになる。
【００４３】
また、上部支持部材２１０ｂにはウォームギア２１７を回転させる回転レバー２２０が結合されるが、ここで回転レバー２２０は第２結合ホール２１９と連通されてウォームギア２１７の軸が結合される第３結合ホール２２９が具備されていて、回転レバー２２０の回転時ウォームギア２１７を回転させてウォームホイールギア２１５を回転させることができるようになって、使用者の作動便宜性を高めるようになっている。
【００４４】
また、ウォームギア２１７の軸２１７ａには、外周面両側を切開した切開部２１８が具備されて第３結合ホール２２９の対応される後方部位にも切開部２１８が挿入される平面部が具備されていて、回転レバー２２０の作動時に回転レバー２２０とウォームギア２１７の軸２１７ａが空転することを防止するようになっている。
【００４５】
そして、回転レバー２２０には使用者のレバー作動力を減らして便宜性を高めるように把持部材２２３が結合されるが、把持部材２２３の一端部は回転レバー本体２２１の一側にヒンジ軸２２５に回転可能に結合されて把持部材２２３の他端部は回転レバー本体２２１と脱着可能に結合される。
【００４６】
すなわち、左右に長いブロック形状で形成される把持部材２２３は、一端部がヒンジ軸２２５に回転レバー本体２２１に結合されて回転支持されて、他端部には結合突起２２３ａが具備されて回転レバー本体２２１の結合溝２２３ｂに脱着されるように結合されている。
【００４７】
したがって、普段には把持部材２２３の結合突起２２３ａが回転レバー本体２２１に結合された状態である途中、使用者が曲率変更をしようとする時には把持部材２２３を外側にオープンさせて１８０度回転させた位置で把持部材２２３を取って回転レバー２２０を回転させることができるようになって、ウォームギア２１７の回転時に作動力が減って使用者の便宜性が増大されるようになっている。
【００４８】
また、このようなディスプレイ装置は、ベンディング部材２０７の回転時ベンディング部材２０７を支持して、バックカバー２０１の後方面に結合されるガイド部材２０９をさらに含むことができる。
【００４９】
ガイド部材２０９にはバックカバー２０１に結合されるように締結ホール２０９ｄが具備されている結合部２０９ａが形成されていて、結合部２０９ａで外側に延長されて内部にベンディング部材２０７が挿入されて支持される挿入ホール２０９ｃを形成するガイド部２０９ｂが具備されていてベンディング部材２０７の回転時ベンディング部材２０７をガイドするようになっている。
【００５０】
ここで、ガイド部材２０９の挿入ホール２０９ｃは、バックカバー２０１の上下方向に長い長ホールで形成されることで、ベンディング部材２０７の回転時ベンディング部材２０７の両側末端部がバックカバー２０１の上下方向に移動されることをガイドするようになっている。
【００５１】
すなわち、ベンディング部材２０７は前述したように曲面型モード(Ｂ)である時にはベンディング部材２０７と曲率中心点のなす平面がバックカバー２０１と垂直をなすように装着されて、平面形モード(Ａ)である時にはベンディング部材２０７と曲率中心点のなす平面がバックカバー２０１と平行に装着されるので、ベンディング部材２０７の中心、すなわち、ウォームホイールギア２１５が結合された位置では上下移動がないがベンディング部材２０７の両側末端部に行くほどバックカバー２０１の上下方向移動量が大きくなるようになる。
【００５２】
したがって、このようなベンディング部材２０７末端部の上下方向をガイド部材２０９が支持しながらガイドするようになって、ベンディング部材２０７の中心部から両側末端部側に所定間隔離隔されるように配置されて、バックカバー２０１と結合されるようになっている。
【００５３】
また、ガイド部材２０９はバックカバーの中心部位で両側末端側に所定距離が離隔されながらふたつ以上が結合されることができるし、ガイド部材２０９の挿入ホール２０９ｃの幅がベンディング部材２０７の経方向最外郭の厚さと等しく形成されていて、平面形モード(Ａ)から曲面型モード(Ｂ)に変更するためのベンディング部材２０７の回転時バックカバー２０１の曲率がベンディング部材２０７の曲率と同一な曲率をなすことができるようになっている。
【００５４】
すなわち、ベンディング部材２０７と挿入ホール２０９ｃの間に間隔があれば、その間隔が大きくなるほどベンディング部材２０７の回転によるバックカバー２０１の曲率変更量が減るようになるので、ベンディング部材２０７の最外郭厚さが挿入ホール２０９ｃの幅とほとんど等しく形成されることで、曲率変更量の減少なしにベンディング部材２０７の回転量によってバックカバー２０１の曲率も変更される作動ができるようになる。
【００５５】
以上で説明したように本発明によれば、使用者が任意に平面ディスプレイまたは曲面ディスプレイで曲率を変更することができる効果がある。
【００５６】
また、本発明によれば、ディスプレイ装置においてその大きさにかかわらず使用者が手軽く曲率を変更して使用者の多様な要求を収容することができる効果がある。
【００５７】
以上で、本発明の実施例を構成するすべての構成要素が一つで結合されるか、または結合されて動作するものとして説明されたとして、本発明が必ずこのような実施例に限定されるものではない。すなわち、本発明の目的範囲内でなら、そのすべての構成要素が一つ以上で選択的に結合して動作することもできる。
【００５８】
また、以上で記載した“含む”、“構成する”または“有する”などの用語は、特別に反対される記載がない限り、該当構成要素が内在することができることを意味するものであるので、他の構成要素を除くものではなく、他の構成要素をさらに含むことができるものとして解釈されなければならない。技術的であるか、または科学的な用語を含んだすべての用語は、異なるように定義されない限り、本発明が属する技術分野で通常の知識を持った者によって一般的に理解されるものと等しい意味を有する。事前に定義された用語のように一般に使われる用語らは、関連技術の文脈上の意味と一致するものとして解釈されなければならないし、本発明で明白に定義しない限り、理想的であるか、または過度に形式的な意味で解釈されない。
【００５９】
以上の説明は、本発明の技術思想を例示的に説明したことに過ぎないものとして、本発明が属する技術分野で通常の知識を持った者なら本発明の本質的な特性から脱しない範囲で多様な修正及び変形が可能であろう。よって、本発明に開示された実施例は本発明の技術思想を限定するためではなく説明するためのものであり、このような実施例によって本発明の技術思想の範囲が限定されるものではない。本発明の保護範囲は下の請求範囲によって解釈されなければならないし、それと同等な範囲内にあるすべての技術思想は本発明の権利範囲に含まれるものとして解釈されなければならないであろう。
【符号の説明】
【００６０】
２０１  バックカバー
２０７  ベンディング部材
２０９  ガイド部材
２１０  曲率変更部材
２１０ａ  下部支持部材
２１０ｂ  上部支持部材
２１１  突き出支持部
２１５  ウォームホイールギア
２１７  ウォームギア
２２０  回転レバー
２２３  把持部材
【図１】
0006568047.tif 000002
【図２】
0006568047.tif 000003
【図３】
0006568047.tif 000004
【図４】
0006568047.tif 000005
【図５】
0006568047.tif 000006
【図６】
0006568047.tif 000007